(57)【要約】      （修正有）【課題】簡便でコンパクトな異常時対処能力測定装置を提供する。【解決手段】異常時対処能力測定装置において、刺激提示部２により、画像刺激提示装置の表示画面９の右半分の第１画面は上から下又は下から上へ、左半分の第２画面は下から上又は上から下へ、複数の刺激図形１３〜２０を自動的に移動させるとともに、第１画面１１と前記第２画面１２には、それぞれ左右対となった指針２１，２２が一定の間隔を保って提示され、マウス５を被験者の手で平面上を移動させることで、指針２１，２２を左右へ一定の間隔を保って移動可能にし、ボタン６は被験者の指で、ペダル７は被験者の足で操作可能にし、指針２１，２２と複数の刺激図形１３〜２０と対応させて反応対応部３で予め定められた動作を行わせ、音・振動提示装置８は、反応装置から入力された反応の誤り、反応の遅れに対し警報を発生させ、引き続き、能力測定を行う。【選択図】図１
2006230674.tif 000002
【特許請求の範囲】
【請求項１】
（ａ）刺激提示部と、反応対応部と、結果記録部とを備えた情報処理装置と、
（ｂ）前記情報処理装置に接続されるマウスと、ボタンと、ペダルとを備えた反応装置と、
（ｃ）前記情報処理装置に接続される音・振動提示装置と、
（ｄ）前記情報処理装置に接続される画像刺激提示装置とを備え、
（ｅ）前記刺激提示部により、前記画像刺激提示装置の表示画面の右半分の第１画面は上から下又は下から上へ、左半分の第２画面は下から上又は上から下へ、複数の刺激図形を自動的に移動させるとともに、前記第１画面と前記第２画面には、それぞれ左右対となった指針が一定の間隔を保って提示され、前記マウスを被験者の手で平面上を移動させることで、前記指針を左右へ一定の間隔を保って移動可能にし、前記ボタンは被験者の指で、前記ペダルは被験者の足で操作可能にし、前記指針と複数の刺激図形と対応させて反応対応部で予め定められた動作を行わせ、前記音・振動提示装置は、前記反応装置から入力された反応の誤り、反応の遅れに対し警報を発生させ、引き続き、能力測定を行うことを特徴とする異常時対処能力測定装置。
【請求項２】
請求項１記載の異常時対処能力測定装置において、前記刺激提示部は予め画像刺激提示装置の表示画面上の刺激図形のパターンを設定することを特徴とする異常時対処能力測定装置。
【請求項３】
請求項１記載の異常時対処能力測定装置において、前記複数の刺激図形中の第１の特定の刺激図形に前記指針が重なっている時間は、前記ボタンを押し続け、前記複数の刺激図形中の第２の特定の刺激図形に前記指針が重なっている時間は、前記ペダルを押し続けることを特徴とする異常時対処能力測定装置。
【請求項４】
請求項１記載の異常時対処能力測定装置において、前記判定部は前記刺激図形の位置と前記反応装置により入力された入力情報とを照合し、反応の正誤を判定し、前記結果記録部に記録することを特徴とする異常時対処能力測定装置。
【請求項５】
請求項４記載の異常時対処能力測定装置において、前記刺激提示部は前記結果記録部に記録された正解の数、パターンに応じて前記刺激図形の移動速度を変化させることを特徴とする異常時対処能力測定装置。
【請求項６】
請求項１記載の異常時対処能力測定装置において、前記刺激図形は色や形の属性を有することを特徴とする異常時対処能力測定装置。
【請求項７】
請求項６記載の異常時対処能力測定装置において、前記刺激図形が表示画面上を移動中に色や形を変化させうることを特徴とする異常時対処能力測定装置。
【請求項８】
請求項１記載の異常時対処能力測定装置において、前記音・振動提示装置の音・振動の大きさと種類を変化させうることを特徴とする異常時対処能力測定装置。
【請求項９】
請求項１記載の異常時対処能力測定装置において、前記ボタン及びペダルを複数個配置し、前記刺激図形の種類に対応させて前記複数個のボタン又はペダルを選択して操作することを特徴とする異常時対処能力測定装置。
【発明の詳細な説明】
【技術分野】
【０００１】
本発明は、異常時対処能力測定装置に関するものである。
【背景技術】
【０００２】
従来、異常時対処能力を測定する装置はなかったが、最も関係が深いと考えられるものには、処置判断検査や多重反応検査がある。
【０００３】
処置判断検査を行う装置としては、円板上の中心あるいは外方を向いた矢印がアトランダムに描かれた回転円板上に一対の指針を置き、その一対の指針を前記矢印の根元側に移動させるようにハンドルの操作を行うように構成されたものがある。
【０００４】
また、多重反応検査を行う装置としては、手や足を用いて、多数の刺激と反応との組み合わせを課す装置がある。
【特許文献１】なし
【発明の開示】
【発明が解決しようとする課題】
【０００５】
しかしながら、上記した従来の多重反応検査は、刺激が断続的であり、次の作業を予測しながら現行の作業を行うという実場面と、そぐわない面がある。また、処置判断検査は、逆に、刺激は連続的であるが、刺激も反応方式も単純である点が実場面とそぐわないという問題があった。
【０００６】
本発明は、上記状況を考慮して、作業中に異常が発生した場合にも冷静・沈着に作業を続けることができるかどうかの能力を簡便でコンパクトな装置により構築することができる異常時対処能力測定装置を提供することを目的とする。
【課題を解決するための手段】
【０００７】
本発明は、上記目的を達成するために、
〔１〕異常時対処能力測定装置において、刺激提示部と、反応対応部と、結果記録部とを備えた情報処理装置と、この情報処理装置に接続されるマウスと、ボタンと、ペダルとを備えた反応装置と、前記情報処理装置に接続される音・振動提示装置と、前記情報処理装置に接続される画像刺激提示装置とを備え、前記刺激提示部により、前記画像刺激提示装置の表示画面の右半分の第１画面は上から下又は下から上へ、左半分の第２画面は下から上又は上から下へ、複数の刺激図形を自動的に移動させるとともに、前記第１画面と前記第２画面には、それぞれ左右対となった指針が一定の間隔を保って提示され、前記マウスを被験者の手で平面上を移動させることで、前記指針を左右へ一定の間隔を保って移動可能にし、前記ボタンは被験者の指で、前記ペダルは被験者の足で操作可能にし、前記指針と複数の刺激図形と対応させて反応対応部で予め定められた動作を行わせ、前記音・振動提示装置は、前記反応装置から入力された反応の誤り、反応の遅れに対し警報を発生させ、引き続き、能力の測定を行うことを特徴とする。
【０００８】
〔２〕上記〔１〕記載の異常時対処能力測定装置において、前記刺激提示部は予め画像刺激提示装置の表示画面上の刺激図形のパターンを設定することを特徴とする。
【０００９】
〔３〕上記〔１〕記載の異常時対処能力測定装置において、前記複数の刺激図形中の第１の特定の刺激図形に前記指針が重なっている時間は、前記ボタンを押し続け、前記複数の刺激図形中の第２の特定の刺激図形に前記指針が重なっている時間は、前記ペダルを押し続けることを特徴とする。
【００１０】
〔４〕上記〔１〕記載の異常時対処能力測定装置において、前記判定部は前記刺激図形の位置と前記反応装置により入力された入力情報とを照合し、反応の正誤を判定し、前記結果記録部に記録することを特徴とする。
【００１１】
〔５〕上記〔４〕記載の異常時対処能力測定装置において、前記刺激提示部は前記結果記録部に記録された正解の数、パターンに応じて前記刺激図形の移動速度を変化させることを特徴とする。
【００１２】
〔６〕上記〔１〕記載の異常時対処能力測定装置において、前記刺激図形は色や形の属性を有することを特徴とする。
【００１３】
〔７〕上記〔６〕記載の異常時対処能力測定装置において、前記刺激図形が表示画面上を移動中に色や形を変化させうることを特徴とする。
【００１４】
〔８〕上記〔１〕記載の異常時対処能力測定装置において、前記音・振動提示装置の音・振動の大きさと種類を変化させうることを特徴とする。
【００１５】
〔９〕上記〔１〕記載の異常時対処能力測定装置において、前記ボタン及びペダルを複数個配置し、前記刺激図形の種類に対応させて前記複数個のボタン又はペダルを選択して操作することを特徴とする。
【発明の効果】
【００１６】
本発明によれば、次のような効果を奏することができる。
【００１７】
（１）作業中に異常が発生した場合にも、冷静・沈着に作業を続けることができるかの能力を簡便でコンパクトな装置により構築することができる。
【００１８】
（２）多数の刺激と手や足を用いた反応との複雑な組み合わせを課しつつ、さらに、刺激を連続的に提示するため、作業を予測して行う状況が再現され、より正確な能力の測定ができる。
【発明を実施するための最良の形態】
【００１９】
本発明の異常時対処能力測定装置は、表示画面は分割され、その分割された表示画面の動きは互いに逆方向であり、表示画面上に提示される刺激図形は各種の形状と色が付されている。一方、表示画面上に提示される左右対の指針は、一定間隔に拘束されて移動するようにされており、その先端を刺激図形に重ねるようにする。しかも、その刺激図形に指針が重なっている時間だけ、特定のボタンかペダルかを選択して押し続けるといった極めて集中力を要する作業を課す。その上に、反応を誤ると警報（音や振動）が発せられるため、気が動転してさらに誤動作を招き易い。かかる状況下でも冷静・沈着に正確な作業ができるかの能力測定を簡便でコンパクトな装置で構築する。
【実施例】
【００２０】
以下、本発明の実施の形態について詳細に説明する。
【００２１】
図１は本発明の実施例を示す異常時対処能力測定装置の模式図である。
【００２２】
なお、ここで言う「異常」とは、故障や事故に限定されるのではなく、多忙な作業、あるいは、平常の作業を逸脱した事態が発生した場面における作業の全般に拡大した意味に用いるものとする。
【００２３】
この図において、１は情報処理装置であり、刺激提示部２と、反応対応部３と、結果記録部４とを備えており、この情報処理装置１には、第１の反応装置であるマウス５と、第２の反応装置である指で操作するボタン６と、第３の反応装置である足で操作するペダル７と、音・振動提示装置８と、画像刺激提示装置としての表示画面１０とが接続されている。
【００２４】
以下、この異常時対処能力測定装置の動作について説明する。
【００２５】
図２は本発明の実施例を示す異常時対処能力測定装置の画像刺激提示装置とその刺激内容についての模式図である。
【００２６】
画像刺激提示装置としての表示画面１０は、左右２つの画面に分かれており、右半分の第１画面１１では上から下へ、左半分の第２画面１２では下から上へ、刺激図形１３〜２０が自動的に移動する。その刺激図形１３〜２０は種々の色と形の属性を持っている。音・振動提示装置８は、刺激に対する被験者の反応が誤っていた場合、または反応が遅れた場合に警報（警報音や警報振動）を一定時間提示する。なお、上記した第１画面１１では下から上へ、左半分の第２画面１２では上から下へ、刺激図形１３〜２０が自動的に移動するようにしてもよい。
【００２７】
図３は本発明の実施例を示す異常時対処能力測定装置の反応装置を示す模式図である。
【００２８】
刺激提示装置としての表示画面１０の右半分の第１画面１１と、左半分の第２画面１２には、それぞれ左右対となった指針（ここでは△マーク）が表示され、第１の反応装置としてのマウス５を被験者の手で平面上を移動させることで、指針２１，２２を左右方向へ移動可能である。それらの指針２１，２２は連動しているため両方同時に同じ方向へ動き、指針２１，２２間の間隔は一定である。
【００２９】
第２の反応装置としてのボタン６は被験者の指によりオン・オフ操作が行われ、第３の反応装置としてのペダル７は被験者の足によりオン・オフ操作が行われる。
【００３０】
なお、第２の反応装置としてのボタン６及び第３の反応装置としてのペダル７は、複数個配置しておき、刺激図形１３〜２０の種類に対応させて、複数個のボタン又はペダルを選択して操作するように規定することもできる。
【００３１】
図４は本発明の実施例を示す異常時対処能力測定装置の情報処理装置の内部構成図である。
【００３２】
図４において、刺激提示部２は、指針提示部２Ａ，画像提示部２Ｂ，音・振動提示部２Ｃ，時間測定部２Ｄを含む。反応対応部３は、第１の入力部（マウス）３Ａ，第２の入力部（ボタン，ペダル）３Ｂ，判定部３Ｃを含む。これらの刺激提示部２と反応対応部３とは結果記録部４へと接続されている。
【００３３】
そこで、被験者の第１〜第３の反応装置５〜７への入力結果は、第１の入力部（マウス）３Ａ，第２の入力部（ボタン，ペダル）３Ｂにそれぞれ入力される。その入力部（マウス）３Ａの情報を用いて、指針提示部２Ａで提示された指針２１，２２を移動させる。判定部３Ｃでは、表示画面１０上の刺激図形の位置と被験者による入力情報とを照合し、反応の正誤を判定する。反応誤りの判定が行われた場合は、その情報を用いて、音・振動提示部２Ｃで音・振動が提示される。刺激の提示時間や検査の終了は、時間測定部２Ｄの情報による。また、結果記録部４は、刺激提示部２、反応対応部３からの情報を記録する。
【００３４】
図５は本発明の実施例を示す異常時対処能力測定装置の動作フローチャートである。
【００３５】
ここでは、上記した異常時対処能力測定装置を用いて、例えば、以下のような操作を課すものとする。
【００３６】
（Ａ）左右対となった指針２１，２２の先端が刺激図形１３〜２０に重なるように、指針２１，２２をマウス５により左右へ移動させる。
【００３７】
（Ｂ）予め、表示画面１０に表示される刺激図形１３〜２０と第２、第３の反応装置６，７（ボタン、ぺダル）を対応付けておく〔例えば、刺激図形がハート形（１９，１６）の場合はぺダル７を踏む、など〕。そして、例えば刺激図形１８が指針２２の先端と重なる間、対応するボタン６を押し続ける（オンにする）。指針２２の先端が刺激図形１８より離れたらボタン６を離す（オフにする）。また、指針２２の先端が刺激図形１９と重なる間、ペダル７を押し続ける（オンにする）。指針２２の先端が刺激図形１９より離れたらペダル７を離す（オフにする）。
【００３８】
以上に示す動作は、表示画面の左右両方の画面について同時に行われる。
【００３９】
（１）まず、この異常時対処能力測定装置の入力部３Ａ、時間測定部２Ｄ、指針提示部２Ａ，結果記録部４，画像提示部２Ｂをそれぞれ作動させる（ステップＳ１）。
【００４０】
（２）次に、検査時間は経過したか否かをチェックする（ステップＳ２）。検査時間が経過していない場合、ステップＳ３に進み、検査を続行する。
【００４１】
（３）次に、刺激図形が指針と同じ高さにあるか否かをチェックする（ステップＳ３）。
【００４２】
（４）次いで、ステップＳ３において刺激図形が指針と同じ高さにある場合には、刺激図形と指針の先端が重なっているか否かをチェックする（ステップＳ４）。
【００４３】
（５）次に、ステップＳ４において刺激図形と指針の先端が重なっている場合には、ボタン・ペダル反応があるか否かをチェックする（ステップＳ５）。
【００４４】
（６）次に、ステップＳ５においてボタン・ペダル反応がある場合には、このボタン・ペダル反応は正しいか（刺激図形に対応したボタン・ペダルで反応しているか）否かをチェックする（ステップＳ６）。
【００４５】
その結果、正しい反応である場合にはステップＳ１へ戻って検査を続行する。
【００４６】
なお、ステップＳ２において、検査時間が経過した場合には、検査を終了とする。
【００４７】
また、ステップＳ３において、刺激図形が指針と同じ高さにない場合には、ボタン・ペダル反応があるか否かをチェック（ステップＳ７）し、ボタン・ペダル反応がない場合には、ステップＳ１に戻り、検査を続行する。ステップＳ７において、ボタン・ペダル反応がある場合には、余裕時間は経過したか否かをチェック（ステップＳ８）し、余裕時間がある場合にはステップＳ１に戻り、検査を続行するが、ステップＳ８において、余裕時間が経過した場合には、音・振動部が作動する（ステップＳ９）。
【００４８】
また、ステップＳ４において、刺激図形と指針が重なっていない場合にも音・振動部が作動する（ステップＳ９）。
【００４９】
さらに、ステップＳ５において、ボタン・ペダル反応がない場合には、余裕時間は経過したか否かをチェック（ステップＳ８）し、ステップＳ８において、経過していない場合には、ステップＳ１に戻り、検査を続行するが、経過した場合には音・振動提示装置が作動する（ステップＳ９）。また、ステップＳ６において、誤りの場合には音・振動提示装置が作動する（ステップＳ９）。
【００５０】
音・振動提示装置の作動は、一定時間で終了する。別種の入力（例えば、表示画面１０の右側での誤反応に引き続き、左側でも誤反応した場合など）があれば、作動時間を延長することができる。あるいは、誤りの種類（別のエラー）ごとに別の種類の音・振動を提示するようにしてもよい。また、作動開始後は次へ能力の測定を進める。
【００５１】
なお、刺激提示部は、結果記録部に記録された正解の数、パターンに応じて刺激の移動速度を変化させることができる。
【００５２】
刺激提示部で提示する図形刺激は、画面上を移動中に色や形を変化させることができる。
【００５３】
刺激提示部で提示する図形刺激は、予めそのパターンを設定することができる。
【００５４】
音・振動提示装置では、音、振動の大きさと種類を予め設定できる。
【００５５】
上記したように、本発明の異常時対処能力測定装置は、正確な作業を冷静・沈着に行うことが強いられる。すなわち、画像提示は輻輳し、複雑である。表示画面は分割され、その分割された表示画面の動きは互いに逆方向であり、表示画面上に提示される刺激図形には各種の形状と色が付されている。一方、表示画面上に提示される左右対の指針は、一定間隔に拘束されて移動するようにされており、その先端を刺激図形に重ねるようにする。しかも、その刺激図形に指針が重なっている時間だけ、ボタンかペダルかを選択して押し続けるといった極めて集中力を要する作業となる。その上に、反応を誤ると警報（音や振動）が発せられるため、気が動転してさらに誤動作を招き易い。かかる状況下でも冷静・沈着に正確な作業ができるかの能力を測定できる。その場合、提供される異常時対処能力測定装置は、パソコンと付属装置及び測定プログラムだけですみ、コンパクトな装置として構築することができる。
【産業上の利用可能性】
【００５６】
本発明の異常時対処能力測定装置は、各種輸送機関の運転士や集中制御装置の監視者などの適性検査装置に利用可能である。
【図面の簡単な説明】
【００５７】
【図１】本発明の実施例を示す異常時対処能力測定装置の模式図である。
【図２】本発明の実施例を示す異常時対処能力測定装置の画像刺激提示装置とその刺激内容についての模式図である。
【図３】本発明の実施例を示す異常時対処能力測定装置の反応装置を示す模式図である。
【図４】本発明の実施例を示す異常時対処能力測定装置の情報処理装置の内部構成図である。
【図５】本発明の実施例を示す異常時対処能力測定装置の動作フローチャートである。
【符号の説明】
【００５８】
１    情報処理装置
２    刺激提示部
２Ａ    指針提示部
２Ｂ    画像提示部
２Ｃ    音・振動提示部
２Ｄ    時間測定部
３    反応対応部
３Ａ    第１の入力部（マウス）
３Ｂ    第２の入力部（ボタン，ペダル）
３Ｃ    判定部
４    結果記録部
５    第１の反応装置であるマウス
６    第２の反応装置である指で操作するボタン
７    第３の反応装置である足で操作するペダル
８    音・振動提示装置
１０    画像刺激提示装置としての表示画面
１１    第１画面
１２    第２画面
１３〜２０    刺激図形
２１，２２    指針
【図１】
2006230674.tif 000003
【図２】
2006230674.tif 000004
【図３】
2006230674.tif 000005
【図４】
2006230674.tif 000006
【図５】
2006230674.tif 000007